(57)【要約】【課題】走行時に必要な情報を表示する車室内に設けられた表示部の表示制御についても、生体認証装置における認証を必要とした車両用表示制御装置を提供する。【解決手段】生体情報を読みとる生体認証装置（１）と、生体認証装置（１）が読取った生体情報と記憶している生体情報との照合を行なう認証制御部（２）と、照合結果が一致していることを条件にエンジン始動制御を行なうエンジン始動制御部（２９）と、走行時に必要な情報を表示する車室内に設けられた表示部（４１）の表示制御を行なうディスプレイ制御部（４０）とを備え、ディスプレイ制御部（４０）は、認証制御部（２）からの照合結果が一致していることを条件に表示部（４１）の表示制御を行なう。【選択図】図２
2010126090.tif 000002
【特許請求の範囲】
【請求項１】
生体情報を読みとる生体認証装置と、該生体認証装置が読取った生体情報と記憶している生体情報との照合を行なう認証制御部と、該認証制御部の照合結果が一致していることを条件にエンジン始動制御を行なうエンジン始動制御部と、走行時に必要な情報を表示する車室内に設けられた表示部の表示制御を行なうディスプレイ制御部とを備え、
前記ディスプレイ制御部は、前記認証制御部における照合結果が一致していることを条件に前記表示部の表示制御を行なうことを特徴とする車両用表示制御装置。
【請求項２】
前記ディスプレイ制御部は、エンジンが始動されることによって、前記認証制御部が給電状態となっている場合であっても、前記認証制御部から生体情報の照合結果が一致したことを受信しない限り、前記表示部の表示制御は行わないことを特徴とする請求項１に記載の車両用表示制御装置。
【請求項３】
前記認証制御部からの信号に応じて解除される車両の走行を禁止する車両走行禁止装置を設け、
前記ディスプレイ制御部は、エンジン始動後に、車両の走行を許可するための所定操作条件を前記表示部に表示する制御を行い、前記認証制御部は、前記表示部に表示された所定操作条件と一致する操作が行なわれたと判定しない限り、前記車両走行禁止装置の走行禁止制御を解除しないことを特徴とする請求項１に記載の車両用表示制御装置。
【発明の詳細な説明】
【技術分野】
【０００１】
本発明は、生体認証装置の照合結果に連動させて表示部の表示を許可する車両用表示制御装置に関するものである。
【背景技術】
【０００２】
従来、イグニッションキーが挿入され、イグニッションスイッチがオンされることにより、インストメントパネル等に設けた表示部に車両情報を表示するための計器類が表示されるように構成されている。また、人間の生体情報（指紋、血管パターン等）を認証の手段として利用した生体認証装置が公知である。
【０００３】
特許文献１には、運転者がイグニッションスイッチをＯＮにすると、表示動作を開始し、運転者がイグニッションスイッチをＯＦＦにすると、表示動作を中止する、イグニッションスイッチと連動した車両用表示装置が開示されている。
【０００４】
特許文献２には、指に近赤外線を照射し、指の静脈パターンを撮影し、撮影した静脈パターンが登録済みの静脈パターンと一致するか否かを判断するようにした生体認証装置が開示されている。
【０００５】
【特許文献１】特開２００８−１６８８１８号公報
【特許文献２】特開２００４−８６２６５号公報
【発明の開示】
【発明が解決しようとする課題】
【０００６】
しかしながら、特許文献２に記載された生体認証装置を特許文献１に採用したとしても、不正にエンジンが始動されてしまうと、車載装置の車両の各部位にＡＣＣ（アクセサリー）電源が供給され、インストメントパネル等の表示部にも電源が供給される。したがって、車速メーター等の計器類も表示されることから、エンジンを始動することさえできれば、インストメントパネル等の表示部に表示される車両情報を確認しながら、円滑に車両を走行させることができるようになる。そのため、エンジン始動システムに生体認証装置を採用したとしても、盗難防止性が不十分であるという問題があった。
【０００７】
そこで、本発明は、走行時に必要な情報を表示する車室内に設けられた表示部の表示制御についても、生体認証装置における認証を必要とした車両用表示制御装置を提供することを課題とする。
【課題を解決するための手段】
【０００８】
本発明は、前記課題を解決するための手段として、生体情報を読みとる生体認証装置と、該生体認証装置が読取った生体情報と記憶している生体情報との照合を行なう認証制御部と、該認証制御部の照合結果が一致していることを条件にエンジン始動制御を行なうエンジン始動制御部と、走行時に必要な情報を表示する車室内に設けられた表示部の表示制御を行なうディスプレイ制御部とを備え、前記ディスプレイ制御部は、前記認証制御部における照合結果が一致していることを条件に前記表示部の表示制御を行なう構成したものである。
【０００９】
この構成により、生体認証装置の照合結果を条件に車室内に設けられた表示部の表示制御を行なうディスプレイ制御部を設けたので、エンジンが始動しているか否かに関わらず、表示部を生体認証装置の照合結果に対応させることが可能となる。
【００１０】
また、前記ディスプレイ制御部は、エンジンが始動されることによって、前記認証制御部が給電状態となっている場合であっても、前記認証制御部から生体情報の照合結果が一致したことを受信しない限り、前記表示部の表示制御は行わない構成とすればよい。
【００１１】
このように構成することにより、不正にエンジンを始動できたとしても、車室内に設けられた表示部は表示されず、車両を走行させるための情報を得ることができないため、車両を通常通りに走行させることを困難とすることができる。したがって、車両の盗難を防止することができる。
【００１２】
また、前記認証制御部からの信号に応じて解除される車両の走行を禁止する車両走行禁止装置を設け、前記ディスプレイ制御部は、エンジン始動後に、車両の走行を許可するための所定操作条件を前記表示部に表示する制御を行い、前記認証制御部は、前記表示部に表示された所定操作条件と一致する操作が行なわれたと判定しない限り、前記車両走行禁止装置の走行禁止制御を解除しない構成としてもよい。
【００１３】
このように構成することにより、不正にエンジンが始動された場合であっても、表示部に表示された所定操作を行なわない限り、車両を走行させることができなくなり、盗難防止性を向上させることができる。
【発明の効果】
【００１４】
本発明によれば、生体認証装置の照合結果を条件に車室内に設けられた表示部の表示制御を行なうディスプレイ制御部を設けたので、エンジンが始動しているか否かに関わらず、表示部を生体認証装置及び生体認証システムの照合結果に対応させることが可能となる。また、表示部に車両を走行させるための操作を表示するように構成すれば、現在のシステムをそのまま利用して車両の盗難防止性を向上させることができる。
【発明を実施するための最良の形態】
【００１５】
以下、本発明に係る実施形態を添付図面に従って説明する。
【００１６】
図１は、本実施形態に係わる車両用表示制御装置が搭載された車両の内部前方部の一部を示す外観図である。まず、ドライバ席に配設されたステアリングホイール（操舵輪）６０の前方には、速度メータ等をディジタル表示可能なグラフィック表示器であるインパネ表示器４１ａが配設されている。そして、ドライバ席と助手席との間には、ステアリングホイール６０の左脇付近に位置するようにセンタークラスタ表示器４１ｂが配設されている。本実施形態では、このセンタークラスタ表示器４１ｂは液晶表示器として構成している。つまり、センタークラスタ表示器４１ａはＧＰＳを用いたナビゲーションシステム用表示器の表示器として使用される。センタークラスタ表示器４１ｂの下部には、ギアシフト装置３４が配設されている。
【００１７】
本実施形態では、運転者の生体情報（指の静脈パターン等）を読取り、車両のエンジン始動許可や走行許可を行うように構成するため、生体認証装置１がステアリングホイール６０の右脇に配設されている。そして、その生体認証装置１の近傍には、運転者が生体認証操作に続いてエンジン始動操作が可能なようにプッシュスタートスイッチ３０が配設されている。本実施形態のプッシュスタートスイッチ３０は、運転者により押下（プッシュ）操作された場合に接地され、接地電圧によるオン信号を出力するプッシュスイッチとして構成されている。なお、このプッシュスタートスイッチ３０は、エマージェンシー用のイグニションキーシリンダと一体に構成してもよい。
【００１８】
また、生体認証装置１に加え、車両に搭載される後述するスマートエントリーコントロールユニット２（スマートエントリーＣ／Ｕ）と運転者に携帯される携帯機３６とにより、無線通信による照合が完了した場合にエンジン始動を行うイグニションシステムが構成されている。その携帯機３６との無線通信を行なう送受信アンテナ３７は、車内のセンタコンソールフロア又はルーフセンタ等に配設されており、車内全域をカバーする送信可能領域を有すると共に、少なくとも車内から送信される所定の信号を受信するようになっている。すなわち、イグニションキーシリンダにイグニションキーを挿入することなく互いに無線通信による識別コードの認証照合（車内照合）を行うことを前提に車両の電源制御を行うシステムを構成している。
【００１９】
さらに、無線通信によるイグニションシステムを構成するため、ステアリングホイール６０の奥側、車両運転者の膝元に位置するコンソール内には、プッシュスタートスイッチをプッシュ操作に応じてエンジン始動可能状態となったときに、電気モーターの駆動によりステアリングロックを解除する電動ステアリングロック装置６１が配設されている。また、車両運転者の足元には、ブレーキペダル６２とアクセルペダル６３が配置されている。
【００２０】
図２及び図３は、本実施形態に係る車両用表示制御装置を車両に採用した場合のブロック図を示す。この車両用表示制御装置は、生体認証装置１、及び、スマートエントリーコントロールユニット２（スマートエントリーＣ／Ｕ）、ディスプレイコントロールユニット（ディスプレイＣ／Ｕ）４０、ディスプレイ４１により構成される。
なお、本実施形態では、ディスプレイ４１は、インパネ表示器４１ａとセンタークラスタ表示器４１ｂにより構成されているが、他の表示器を付加するようにしてもよい。
【００２１】
生体認証装置１は、図４に示すように（ケース３、赤外線照射部４、カメラ部５、赤外線受信部６、第１記億部７、第１制御部８、第１通信部９、及び、第１電源部１０を備える。
【００２２】
ケース３は、図３に示すように、略箱形状で、上面には、両側にガイド壁部１１がそれぞれ形成されている。ガイド壁部１１の間の領域は指配置部１２を構成し、指配置部１２  の両端部分には平坦部１３が形成されている。また、平坦部１３とガイド壁部１１とによって囲まれた領域には、ケース３の内部空間に向かって延びる断面矩形状の筒部１４が形 成されている。筒部１４には、先端（奥）側に向かって所定寸法入り込んだ位置に段部１５が形成され、そこには可視光を遮断する赤外線フィルタ１６が設けられている。段部１５の一部には保持凹部１７が形成されている。筒部１４の先端開口は基板１８によって閉鎖されている。筒部１４、赤外線フィルタ１６、及び、基板１８で囲まれた空間が収容部１９となっている。
【００２３】
赤外線照射部４は、前記両ガイド壁部１１に、その長手方向に沿って複数並設されている。赤外線照射部４には、ＬＥＤ（Light Emitting Diode）等が使用可能である。
【００２４】
カメラ部５は、基板１８の中央部に実装され、ケース３の収容部１９内に位置している。これにより、カメラ部５は、図４（ｄ）に示すように、指配置部１２に配置された指Ａの第２関節近傍の静脈パターンを撮影する。カメラ部５には、ＣＣＤ（Charge Coupled Device）カメラ、ＣＯＭＳ（Complementary Metal-0xide Semiconductor）カメラ等が使用可能である。
【００２５】
赤外線受信部６は、外部の通信手段から送信された赤外線を受信する。通信手段には、具体構成は図示しないが、図２に示すように、イグニションシステム用の携帯機３６とは、別に設けた生体認証機能を有するリモコン２０や携帯電話２１等を使用することができる。なお、赤外線受信部６をオーディオの制御部に接続し、オーディオ用リモコンの受信部として利用してもよく、種々の応用が可能である。この赤外線受信部６は、前記ケース３の収容部１９内に形成した保持凹部１７に取り付けられ、赤外線フィルタ１６に接触するように配置されている。これにより、通信手段からの赤外線を受信しやすいだけでなく、カメラ部５による指の撮影の妨げとなることもない。
【００２６】
なお、上記したリモコン２０や携帯電話２１等から送信され、赤外線受信部６で受信する赤外線には、ユーザの生体情報（例えば、指の指紋や、静脈パターンを数値化したもの）と関連付けたユーザを識別するためのＩＤ（identification）情報（ここでは、ＩＤ番号を使用している。）が重畳されている。すなわち、このリモコン又は携帯電話には、後述する生体認証装置に代わって、生体認証を行なう生体認証部２０ａ、２１ａが設けられており、生体認証部２０ａ、２１ａに記憶している生体情報（数値化されたもの）と読取った生体情報が一致した場合に、赤外線通信によってユーザを識別するためのＩＤ情報を送信できるように構成されている。この生体認証部２０ａ、２１ａの具体構成は、本発明と直接関係しないため、その説明を省略する。
【００２７】
第１記億部７には、予め、前記生体認証装置１によって認証させるための生体情報（例えば、指の指紋や、指の静脈パターンを数値化したもの）と、この生体情報と関連付けたＩＤ情報（例えば、ＩＤ番号）とが記億されている。また、後述する認証処理を実行するための制御プログラムが記億されている。
【００２８】
第１制御部８は、前記カメラ部５で撮影した静脈パターンに基づいて、後述するようにして個人認証処理を実行する、個人認証手段として機能する。前記静脈パターンは、画像処理により数値化し、記億部に登録済みの生体情報（同じく数値化されたもの）と比較して登録済みの人物のものであるか否かを判断する。
【００２９】
なお、静脈パターンの数値化は、次のようにして行う。すなわち、指に照射する近赤外線は、酸素を運び終わった、血液中の静脈を流れる還元ヘモグロビンに吸収されやすい。このため、静脈では暗く、静脈以外では明るく撮影される。そこで、各部位での明暗を２進法により「０」又は「１」の数値データに変換する。
【００３０】
第１通信部９は、第１制御部８で個人認証処理を行った結果、特定されたＩＤ情報をスマートエントリーコントロールユニット２に送信する。また、前記第１制御部８が故障した場合には、前記赤外線受信部６で受信したＩＤ情報を、直接、スマートエントリーコントロールユニット２に送信（上記したリモコン２０や携帯電話２１等により送信された赤外線により送信される。）する。第１通信部９には、スマートエントリーコントロールユニット２からのコードを接続するコネクタ等が使用できる。
【００３１】
スマートエントリーコントロールユニット２は、図２及び図３に示すように、第２記億部２２、第２制御部２３、第２通信部２４、入出力部２５、及び、第２電源部２６を備え、ドアロックコントロールユニット２７（ドアロックＣ／Ｕ）、電動ステアリングロック２８（電動ＳＴＬ）、エンジンコントロールユニット２９（エンジンＣ／Ｕ）、スタートスイッチ３０（ＳＷ）、送受信アンテナ３７、ギアシフトコントロールユニット３１（ギアシフトＣ／Ｕ）、ディスプレイコントロールユニット４０（ディスプレイＣ／Ｕ）、ブレーキ／アクセルコントローラ６４（ペダルＣ／Ｕ）等に接続されている。なお、送受信アンテナ３７は、運転者に携帯される携帯機３６との無線通信により接続される。
【００３２】
ディスプレイコントロールユニット４０は、車両走行中に必要な情報が表示されるディスプレイ４１（本実施形態では、インパネ表示器４１ａ及びセンタークラスタ表示器４１ｂ）、第３記億部４２、第３制御部４３、第３電源部４４、及び、第３通信部４５を備えている。なお、第３記憶部４２には、インパネ表示器４１ａ、センタークラスタ表示器４１ｂ等のディスプレイ４１に表示されるディジタルグラフィック表示データを記憶されている。
【００３３】
また、ギアシフトコントロールユニット３１には、ギアシフト装置３４に設けられたシフトレバー３４０をパーキング位置にロックするシフトロック装置３４ａ（車両走行禁止装置）が接続されている。
このシフトロック装置３４ａは図１１に示すようにシフトレバー３４０が移動するシフトレバー開口部３４２にスプリング３４３ｂにより突出可能に付勢されたスライドブロック３４３ａをギアシフトコントロールユニット３１からの信号に応じてソレノイド３４３ｃに通電することによりスライドブロック３４３ａをロック位置（図１１（ａ））から解除位置（図１１（ｂ））に移動させるようにしたものであり、ソレノイド３４３ｃを断電するとスプリング３４３ｂの付勢力によってスライドブロック３４３ａがロック位置に突出し、シフトレバー３４０のパーキング位置から他の操作位置への移動を規制するようになっている。なお、スライドブロック３４３ａはロック位置にあるときにはスプリング３４３ｂの付勢力を受けて突出しているだけであるので、図１１（ｃ）に示すようにロック位置にあるときでも他の操作位置からパーキング位置にシフトレバー３４０をシフトさせることは可能となっている。
【００３４】
次に、前記構成の生体認証システムの動作について説明する。
【００３５】
図５は、スマートエントリーコントロールユニット２での処理内容を示すフローチャートである。ここでは、ドアの開閉操作開始が、例えばドアパネルに配設されたアウタハンドルに設けられたスイッチ、接触センサ等のドアハンドル操作検出手段（図示せず）によって検出されると、その検出信号がスマートエントリーコントロールユニット２に入力される。スマートエントリーコントロールユニット２では、運転者が携帯している携帯機との無線通信によるＩＤ照合（車外照合）が一致した場合にドアロックコントロールユニット２７にアンロック制御信号を送信し、ドアロックコントロールユニット２７がドアロック装置３５をアンロック作動させる。その後、運転席ドアの開閉がドア開閉検出手段（図示せず）により検出され、再度、車室内において車両運転者の携帯機と無線通信による識別コードの認証照合（車内照合）を行い、携帯機を所有した車両運転者が乗車したと判断することにより（ステップＳ１）、生体認証装置１に電源オン信号を出力して起動させ（ステップＳ２）、認証開始信号を出力して生体認証処理を開始させる（ステップＳ３）。なお、本実施形態では、運転席ドアの開閉後、再度車内照合を行なうことを生体認証装置１の起動条件としたが、車内照合を条件とせず、ドアロック装置３５がアンロックされ、運転席ドアが開閉することにより、生体認証装置１に電源オン信号を出力して起動させるようにしてもよい。
【００３６】
後述するように、生体認証装置１での生体認証処理が終了し、その結果が送信されてくれば（ステップＳ４）、認証処理で照合した結果、該当する生体情報が登録されていたか否かを判断する（ステップＳ５）。
【００３７】
照合した結果が認証されたものであれば（ステップＳ５：ＹＥＳ）、生体情報に関連付けたＩＤ情報を確認する（ステップＳ６）。そして、確認したＩＤ情報に基づいて、各部位（ミラー、シート、ステアリング等）の位置を運転者の好みの位置に自動的に設定する自動設定信号を設定し、図示しない各部位のコントロールユニットに送信する（ステップＳ７）。このとき、電動ステアリングロック２８への送信信号として、ロック状態を解除するためのＳＴＬ解除信号を準備し、エンジンコントロールユニット２９に送信する信号として、エンジン始動信号を準備する。さらに、インパネ表示器４１ａ、センタークラスタ表示器４１ｂ等を表示するための表示オン信号を設定し、図示しない車両の各位置に設けられたセンサなどによって検出された燃料の残量、エンジン温度、ギアシフト位置、ヘッドランプやターンシグナルランプの点灯状態等の車両状態に関する情報（車両情報）を読取り、表示オン信号と共に送信する。（ステップＳ８）
【００３８】
一方、照合した結果が認証されたものでなかったか、あるいは、生体認証装置１が故障等で適切な信号を受信できていなければ（ステップＳ５：ＮＯ）、リモコン２０又は、携帯電話２１等の通信手段から赤外線受信部６にＩＤ情報が入力されたか否かを判断する（ステップＳ９）。すなわち、赤外線受信部６から第１通信部９及び第２通信部２４を介して第２制御部２３にＩＤ情報が入力されたか否かを判断する。赤外線受信部６は、赤外線フィルタ１６に接触するように配置しているため、通信手段から出力された赤外線を受信しやすい。また、赤外線フィルタ１６によって覆われているため、可視光が入力されることがないので、通信不良等が発生しにくい。つまり、生体認証装置１によって生体認証ができない場合でも、生体認証機能を有するリモコン２０又は、携帯電話２１等の通信手段からスマートエントリーコントロールユニット２に赤外線受信部６を介して生体認証照合の結果、ＩＤ情報を有する赤外線信号を受信することができる。また、運転者の携帯機との無線通信では使用されない赤外線受信部６を生体認証装置１のケース３内に収容することができるので、無線通信によるイグニッションシステムに生体認証機能を安価に付加することができる。
【００３９】
なお、生体認証装置１が故障して生体認証装置１からスマートエントリーコントロールユニット２への認証結果の送信が行われず、ステップＳ４において認証結果が受信できない場合が考えられる。この場合、ステップＳ４の処理が繰り返されるという問題が発生するため、例えば、生体認証装置１への認証開始信号の送信処理時（ステップＳ３）にタイマーをスタートさせ、所定の時間内に生体認証装置１からの認証結果の受信がなければ、ステップＳ８の処理に移行するようにしてもよい。このようにすれば、生体認証装置１が故障して認証結果の送信ができない状態となっても、前記同様、リモコン２０又は、携帯電話２１を使用しての認識動作を行うことが可能となる。
【００４０】
ＩＤ情報が入力されていなければ、生体認証処理を終了する。ＩＤ情報が入力されていれば、入力されたＩＤ情報が、予め第２記憶部２２に記憶させたＩＤ情報と合致するか否かを判断する（ステップＳ１０）。合致していなければ（ＮＯ）、生体認証処理を終了し、合致していれば（ＹＥＳ）、前記ステップＳ６に移行してＩＤ情報を確認した後、前記ステップＳ８、Ｓ９で送信信号の設定及び送信を行う。このとき、ステップＳ５及びＳ１０でＩＤ情報が確認されていない場合には、この送信信号は設定されない。
【００４１】
送信信号の設定が完了し、スタートスイッチ３０が入力されれば（ステップＳ１１）、電動ステアリングロック２８にＳＴＬ解除信号を送信する（ステップＳ１２）。電動ステアリングロック２８では、このＳＴＬ解除信号に基づいて電動ステアリングロック２８のロック状態を解除し、アンロック状態としてアンロック信号を出力する。
また、このとき、ＡＣＣ（アクセサリー）電源がオンし、カーオーディオ、エアコン等の各部位に電源が給電可能な状態となる。但し、本実施形態では、ＡＣＣ電源がオンした場合であっても、ステップＳ５及びＳ１０でＩＤ情報が確認されていない場合には、ステップ８で表示オン信号が送信されていないため、ディスプレイコントロールユニット４０は、ディスプレイ４１への給電を遮断し、非表示状態のままとする。
本実施形態では、ＡＣＣ電源オンの前に表示部（ディスプレイ）を表示するようにしたが、生体認証の一致が確認されることにより、表示オン信号を設定し、スタートスイッチ３０を押込操作に応じて、表示オン信号をスマートエントリーコントロールユニット２からディスプレイコントロールユニット４０に出力され、図８のステップ５１に進むように構成してもよい。
なお、車内にて携帯機３６を所持した車両運転者がブレーキペダル６３を踏み込んだ状態で、スタートスイッチ３０を押込操作すると、スマートエントリーコントロールユニット２からエンジンコントロールユニット２９にエンジン始動許可信号が出力され、ブレーキペダル６３を踏み込まずに、スタートスイッチ３０を押込操作すると、ＡＣＣ電源オン信号のみがるスマートエントリーコントロールユニット２から図示しない各コントロールユニットに出力される。
【００４２】
電動ステアリングロック２８からアンロック信号が入力されたことが確認されれば（ステップＳ１３）、エンジンコントロールユニット２９にＩＤ情報を送信し（ステップＳ１４）、後述するエンジン始動処理を実行させる。そして、スマートエントリーコントロールユニット２からエンジン始動信号が入力され、エンジンが始動したことが確認されれば（ステップＳ１５）、処理を終了する。
【００４３】
図６は、生体認証装置１での生体認証処理の内容を示すフローチャートである。ここでは、前記スマートエントリーコントロールユニット２から電源オン信号が入力されると（ステップＳ２１）、電源をオン状態として駆動を開始する（ステップＳ２２）。このとき、第１制御部８のシステムの初期化を行う（ステップＳ２３）。そして、入力された認証開始信号に基づいて生体認証であるのか否かを判断する（ステップＳ２４）。
【００４４】
生体認証でなければ（ステップＳ２４：ＮＯ）、生体情報の登録であるのか否かを判断し（ステップＳ２５）、そうであれば、生体、情報の登録処理を実行する（例えば、認証対象者の指として登録したマスター指について、静脈パターンを新規に登録する。）。 但し、生体情報の登録処理については、本発明と直接関係しないため、その説明を省略する。生体情報の登録でもなければ、処理を終了する。
【００４５】
生体認証であれば（ステップＳ２４：ＹＥＳ）、赤外線照射部４によって赤外線を照射する（ステップＳ２６）。そして、指の検出を行い（ステップＳ２７）、指配置部１２に指が配置されているか否かを判断する（ステップＳ２８）。指配置部１２に指が配置されていると判断すれば（ステップＳ２８；ＹＥＳ）、カメラ部５によってその指の静脈パターンを撮影する（ステップＳ２９）。撮影された静脈パターンは画像処理により数値化し（ステップＳ３０）、予め記億部に記億させてある生体情報と照合する（ステップＳ３１）。そして、照合結果は、前記スマートエントリーコントロールユニット２に送信し（ステップＳ３２）、生体認証処理を終了する。指配置部１２に指が配置されていないと判断すれば（ステップＳ２８：ＮＯ）、赤外線照射から３０秒経過したか否かを判定した後（ステップＳ３３）、３０秒経過していなければ、再度、前記ステップＳ２７に戻って指の検出を実行する。
【００４６】
図７は、エンジンコントロールユニット２９でのエンジン始動処理の内容を示すフローチャートである。ここでは、電動ステアリングロック２８からアンロック信号が入力されたか否かを判断し（ステップＳ４１）、スマートエントリーコントロールユニット２からＩＤ番号が入力されたかを判断する（ステップＳ４２）。アンロック信号の入力があり、かつ、ＩＤ番号の入力があれば、エンジンの始動を開始する（ステップＳ４３）。そして、スマートエントリーコントロールユニット２にエンジン始動信号を送信し（ステップＳ４４）、エンジン始動処理を終了する。
【００４７】
図８は、ディスプレイコントロールユニット３２でのディスプレイ表示処理の内容を示すフローチャートである。ここでは、スマートエントリーコントロールユニット２からの表示オン信号（ＩＤ照合確認ＯＫを示す信号）が第３通信部４５に入力されると（ステップＳ５１）、第３電源部４４から第３制御部４３に電源が供給され、第３制御部４３が起動する（ステップＳ５２）。そして、第３制御部４３は、第３記憶部４２に記憶されているインパネ表示器４１ａ、センタークラスタ表示器４１ｂ等のディスプレイ４１に表示されるディジタルグラフィック表示データを読み出すと共に、図示しない車両の各位置に設けられたセンサなどによって検出された燃料の残量、エンジン温度、ギアシフト位置、ヘッドランプやターンシグナルランプの点灯状態等の車両情報をスマートエントリーコントロールユニット２から受信し（ステップＳ５３）、これらの車両情報をインパネ表示器４１ａにディジタルグラフィック表示させる（ステップＳ５４）。
つまり、生体認証装置１により照合された結果が一致し、スマートエントリーコントロールユニット２から表示オン信号がディスプレイコントロールユニット４０に入力されない限り、第３制御部４３に第３電源部４４の電源供給がされないため、ディスプレイ４０が表示されることはない。そのため、生体認証を行なうことなく、不正にエンジンが始動されたことによって、ＡＣＣ（アクセサリー）電源がオンし、カーオーディオ、エアコン等の各部位に電源が給電可能な状態となった場合でも、第３制御部４３は起動することはないため、インパネ表示器４１ａに車両情報が表示されず円滑な運転操作を行なうことが困難となり、車両の盗難を有効に抑制することができる。
なおスマートエントリーコントロールユニット２から送信される信号は、、表示オン信号ではなく、生体情報に関連付けたＩＤ情報を送信するようにしてもよく、この場合には、ＩＤ情報に基づいて、車両運転者毎にグラフィック表示を設定するようにしてもよい。
【００４８】
また、車速やギアシフト位置などの車両情報を表示するインパネ表示器４１ａだけではなく、本実施形態では、センタークラスタ表示器４１ｂとして搭載しているナビゲーションシステム用表示器の表示もスマートエントリーコントロールユニット２から表示オン信号が入力されないと、表示されないように構成することにより、不正にエンジンが始動された場合には、ナビゲーションシステムを使用することもできなくなるため、さらに車両の盗難を抑止することができる。
なお、センタークラスタ表示器４１ｂをナビゲーションシステム用表示器とした場合には、第３記億部４２及び第３制御部４３を一体的にセンタークラスタ表示器４１ｂ内に備え、第３通信部４５がスマートエントリーコントロールユニット２からの表示オン信号が入力されたときに第３電源部４４からセンタークラスタ表示器４１ｂ内の第３制御部４３に電源を供給し、センタークラスタ表示器４１ｂ内を起動するようにしてもよい。
【００４９】
図９は、他の実施形態におけるディスプレイコントロールユニット３２でのディスプレイ表示処理の内容を示すフローチャートである。この実施形態では、図２及び図１１に示すようにギアシフト装置３４にシフトレバー３４０のシフトロック装置３４ａを設けたものであり、エンジン始動後にシフトロック装置３４ａのロックを解除するための所定操作が正常に行なわれない限り、車両の走行を許可しないように構成している。
具体的には、ステップＳ６１において、エンジン始動された後に、所定の各表示部（ディスプレイ）、例えば、インパネ表示器４１ａに再度、生体認証装置１による生体認証を行なうことを指示する表示を行なうようにする（ステップＳ６２）。
【００５０】
本実施形態では、図１０（ｂ）に示すように、再度、生体認証装置に指を載せて生体認証処理を行なうように指示表示を行う。そして、所定操作がされたかどうかを判定すると共に、表示どおりの操作かどうかを判定し（ステップＳ６３、Ｓ６４）、生体認証の一致が再度照合された場合には、その旨を表示（図１０（ｃ））し、スマートエントリーコントロールユニット２は、ギアシフト装置３４のシフトロック装置３４ａによるシフトレバー３４０のロックを解除するようにギアシフトコントローラ３１に信号を出力する。これにより、図１１（ｂ）に示すようにシフトレバー３４０をパーキング位置から走行位置に移動させることができるようになる。したがって、生体認証装置１による生体認証を行なわず、不正にエンジンを始動させた場合には、インパネ表示器４１ａに車両走行禁止制御を解除するための所定操作内容が表示されないため、シフトレバー３４０がパーキング位置にロックされた状態となる。（図１０（ａ））そのため、車両を走行させることができず、車両の盗難を防止することができる。
【００５１】
前述したように、本実施形態に係る車両用表示制御装置によれば、生体認証がされることなく、エンジンが始動された場には、表示部（ディスプレイ）に燃料の残量、エンジン温度、ギアシフト位置、ヘッドランプやターンシグナルランプの点灯状態等の車両情報やナビゲーション情報が表示されないため、正常に車両を運転することが困難となり、車両の盗難を抑制することが可能となる。
【００５２】
また、エンジンが始動された後に、再度車両の走行を許可するための所定操作の指示を表示部（ディスプレイ）に表示させるように構成することによって、生体認証をせずにエンジンを始動させた場合には、表示部に表示される走行許可条件を認識することができないため、車両を走行させることができず、車両の盗難を防止することが可能となる。
【００５３】
なお、本実施形態では、走行を許可するための条件として、生体認証処理を再度行うことを表示部に表示するようにしたが、プッシュスタートスイッチ３０やブレーキペダル６２を所定回数押し操作することや、ブレーキペダル６２を踏みながらプッシュスタートスイッチ３０を押し操作する等、プッシュスタートスイッチ３０、ブレーキペダル６２、シートベルトのロック状態を検出するシートベルトスイッチ（図示せず）、ドアの開閉を検出するドア開閉検知スイッチ（図示せず）等の操作部材の組合せや、複数回操作することを条件とすること等、通常操作とは異なる操作方法を走行許可条件とすることによって、偶発的に走行禁止状態が解除されることを防止することができる。また、本実施形態では、車両の走行禁止装置として、シフトロック装置３４ａを設けるようにしたが、アクセルペダル６２の踏み込みを禁止（ロック）するアクセルペダルロック装置等としてもよい。
【００５４】
また、本実施形態では、生体認証用のリモコン２０と車両と無線通信を行う携帯機３６を別々に設けたが、携帯機３６に生体認証機能を付加して、１つの携帯機として構成してもよい。この場合、ＩＤ情報は、赤外線ではなく、電波や電磁波等の無線通信として、送受信アンテナ３７にて受信するように構成してもよい。また、リモコン２０と携帯電話２１に生体認証部２０ａ、２１ａを設けず、ＩＤ情報を赤外線送信するようにしてもよい。
【００５５】
表示部（ディスプレイ）としては、ギアシフト３４に設けられる表示部やヒーターコントロール装置等のスイッチ機能をデジタル表示や液晶表示等のような電源オフ時には表示が消去されるように構成することにより、あらゆる車両用表示制御装置に採用することができる。
【図面の簡単な説明】
【００５６】
【図１】本実施形態に係わる車両用表示制御装置が搭載された車両の内部前方部の一部を示す外観図である。
【図２】本実施形態に係る車両用表示制御装置のシステムブロック図である。
【図３】図２のスマートエントリーコントロールユニット、生体認証装置及びディスプレイユニットのブロック図である。
【図４】（ａ）は図１の生体認証装置の正面図、（ｂ）はその断面図、（ｃ）は、指配置部に指を配置した状態を示す正面図、（ｃ）はその断面図である。
【図５】図１のスマートエントリーコントロールユニットでの処理内容を示すフローチャートである。
【図６】図１の生体認証装置での処理内容を示すフローチャートである。
【図７】図１のエンジンコントロールユニットでの処理内容を示すフローチャートである。
【図８】図１のディスプレイユニットでの処理内容を示すフローチャートである。
【図９】図１のディスプレイユニットでの他の実施例における処理内容を示すフローチャートである。
【図１０】図９における処理内容に対応するインパネ表示器に表示される操作条件表示内容を示す図である。
【図１１】図１におけるギアシフト装置のシフトロック装置の作動状態を示す作動図である。（ａ）はギアシフトがパーキング位置にあり、シフトロック装置がロック状態の作動図、（ｂ）は、シフトロック装置がアンロック位置に駆動した状態を示す作動図、（ｃ）は、ギアシフトがドライブ位置からパーキング位置に移動する状態を示す作動図である。
【符号の説明】
【００５７】
１…生体認証装置
２…スマートエントリーコントロールユニツト（認証制御部）
２２…第２記憶部
２３…第２制御部
２４…第２通信部
２５…入出力部
２６…第２電源部
２９…エンジンコントロールユニット（エンジン始動制御部）
３０…プッシュスタートスイッチ
３４…ギアシフト装置
３４ａ…シフトロック装置（車両走行禁止装置）
４１…ディスプレイ（表示部）
４１ａ…インパネ表示器（表示部）
４１ｂ…センタークラスタ表示器（表示部）
４２…第３記憶部
４３…第３制御部
４４…第３電源部
４５…第３通信部
【図１】
2010126090.tif 000003
【図２】
2010126090.tif 000004
【図３】
2010126090.tif 000005
【図４】
2010126090.tif 000006
【図５】
2010126090.tif 000007
【図６】
2010126090.tif 000008
【図７】
2010126090.tif 000009
【図８】
2010126090.tif 000010
【図９】
2010126090.tif 000011
【図１０】
2010126090.tif 000012
【図１１】
2010126090.tif 000013